(57)【特許請求の範囲】
【請求項１】
巻芯に巻き付けられたロール状材料を梱包する梱包材において、
（Ａ）前記巻芯の両端部を下方から支持する左右側支持板と、この左右側支持板を前後方向から支えて起立状態を維持する前後側当板とが折畳み可能な構造で一体化してある支持構造と、
（Ｂ）前記支持構造を載置固着したパレットと、
（Ｃ）底面のみ開放状態の箱体で折畳み可能な構成の外被構造と、
（Ｄ）前記左右側支持板の上方に載置され前記箱体の天板まで延びる左右側支持板と、該左右側支持板を相対向するように連設し、前記前後側当板の外側を被覆してパレット上に載置される前後側被覆板から成り折畳み可能な構成の多段積み補強構造体、
とを有し、
前記（Ａ）支持構造における折り畳み可能な構造が、該（Ａ）支持構造の下部に位置する底面板の上側表面紙を延長して前記左右側支持板の底面表面紙及び外側表面紙とし、この表面紙で、各々厚みのある前記底面板と前記左右側支持板とを接続、一体化することで、その接する線で折曲げ、折畳み可能とするとともに、前記底面板の上側表面紙を延長して前記前後側当板の外側表面紙とし、この表面紙で、各々厚みのある前記底面板と前記前後側当板とを接続、一体化することで、その接する線で折曲げ、折畳み可能とする構造であり、
前記（Ｄ）多段積み補強構造体における折り畳み可能な構成が、前記前後側被覆板を左右側支持板の外側において接続して折り畳み自由とする構成であり、
前記（Ａ）支持構造、（Ｂ）パレット、（Ｃ）外被構造、（Ｄ）多段積み補強構造体の全体が段ボール製であることを特徴とするロール状材料用の梱包材。
【請求項２】
巻芯に巻き付けられたロール状材料を梱包する梱包材において、
（Ａ）前記巻芯の両端部を下方から支持する左右側支持板と、この左右側支持板を前後方向から支えて起立状態を維持する前後側当板とが折畳み可能な構造で一体化してある支持構造と、
（Ｂ）前記左右側支持板と略同形同大の支持板の前後両端部を延長して前後側立板を折畳み可能に形成してあり、相対向するように前記左右側支持板の間の底面板上に載置し、支持板間に巻芯を掛架したときロール状材料が中心部分で支持される構成の２つ1組の狭幅対応ブロックであって、平板状に折畳み可能な構成の狭幅対応ブロック、
とを有し、前記（Ａ）支持構造及び（Ｂ）狭幅対応ブロックの全体が段ボール製であることを特徴とするロール状材料用の梱包材。
【発明の詳細な説明】
【０００１】
【発明の属する技術分野】
本発明は、ロール状材料用の梱包材に関する。
【０００２】
【従来の技術】
例えば、写真フィルムや印画紙などの感光材料は、製造工程の最終段階においてロール状に巻き取られ、その周囲を遮光フィルムなどの遮光構造により防湿・遮光状態に包装され、更に梱包材に収納された状態で輸送或いは保管される。
【０００３】
上記の梱包材としては、例えば特開平３−５３２４３号公報、特許第２６８３９３８号などに記載されているように、木製のパレットの上部に形成された木枠の中で、遮光状態に包装された感光材料の巻芯の両端を利用して宙吊り状態に維持する方式のものが一般に利用されている。
【０００４】
【発明が解決しようとする課題】
感光材料を輸送或いは保管する上で考慮しなければならないことは、遮光状態を維持しなければならないことは当然のことながら、防湿と感光材料の変形防止である。
感光材料の変形防止を行うことができないと、ロール状の積層状態にある感光材料が固着してしまう事態が発生する虞があり、遮光を含めて従来から種々の提案がなされている。
感光材料の変形は、主として感光材料自体の重量による巻芯の撓みなどにより生じるが、その対策として特開２０００−３３９４３に提案があり、また、本出願人も、特願２０００−１２０４０５などにより提案を行っている。
【０００５】
特に、感光材料を輸送或いは保管する上での課題として、梱包材の問題がある。従来の梱包材としては、上記の如く、木製のパレットの上部に形成された木枠の中で、遮光状態に包装された感光材料の巻芯の両端を利用して宙吊り状態に維持する方式のものが一般に利用されており、この形態の梱包材は、パレットと木枠部分とを別体に形成するにせよ、木材を利用するので、規格化による安価な量産が難しく、また、組み立てにも作業手間がかかり、更に、一度だけの使い捨て方式であるために、コスト高となっている。
【０００６】
ロール状材料としては、上記感光材料に限らず、フィルムないしシート又は布ないし織物などの各種材料を巻芯に巻き付けて輸送ないし保管するものがあり、これらロール状材料の梱包材について、上述のような不都合ないし欠点が見られる。
【０００７】
本発明は、上記に鑑み、段ボール製とすることにより製造コストが安価であり、更に、梱包不使用時の搬送・保管が容易で、再利用することが可能であるロール状材料用の梱包材を明らかにすることを課題とする。
【０００８】
【課題を解決するための手段】
本発明の上記課題は下記構成によって達成される。
１．巻芯に巻き付けられたロール状材料を梱包する梱包材において、
（Ａ）前記巻芯の両端部を下方から支持する左右側支持板と、この左右側支持板を前後方向から支えて起立状態を維持する前後側当板とが折畳み可能な構造で一体化してある支持構造と、
（Ｂ）前記支持構造を載置固着したパレットと、
（Ｃ）底面のみ開放状態の箱体で折畳み可能な構成の外被構造と、
（Ｄ）前記左右側支持板の上方に載置され前記箱体の天板まで延びる左右側支持板と、該左右側支持板を相対向するように連設し、前記前後側当板の外側を被覆してパレット上に載置される前後側被覆板から成り折畳み可能な構成の多段積み補強構造体、
とを有し、
前記（Ａ）支持構造における折り畳み可能な構造が、該（Ａ）支持構造の下部に位置する底面板の上側表面紙を延長して前記左右側支持板の底面表面紙及び外側表面紙とし、こ
の表面紙で、各々厚みのある前記底面板と前記左右側支持板とを接続、一体化することで、その接する線で折曲げ、折畳み可能とするとともに、前記底面板の上側表面紙を延長して前記前後側当板の外側表面紙とし、この表面紙で、各々厚みのある前記底面板と前記前後側当板とを接続、一体化することで、その接する線で折曲げ、折畳み可能とする構造であり、
前記（Ｄ）多段積み補強構造体における折り畳み可能な構成が、前記前後側被覆板を左右側支持板の外側において接続して折り畳み自由とする構成であり、
前記（Ａ）支持構造、（Ｂ）パレット、（Ｃ）外被構造、（Ｄ）多段積み補強構造体の全体が段ボール製であることを特徴とするロール状材料用の梱包材。
【０００９】
２．巻芯に巻き付けられたロール状材料を梱包する梱包材において、
（Ａ）前記巻芯の両端部を下方から支持する左右側支持板と、この左右側支持板を前後方向から支えて起立状態を維持する前後側当板とが折畳み可能な構造で一体化してある支持構造と、
（Ｂ）前記左右側支持板と略同形同大の支持板の前後両端部を延長して前後側立板を折畳み可能に形成してあり、相対向するように前記左右側支持板の間の底面板上に載置し、支持板間に巻芯を掛架したときロール状材料が中心部分で支持される構成の２つ1組の狭幅対応ブロックであって、平板状に折畳み可能な構成の狭幅対応ブロック、
とを有し、前記（Ａ）支持構造及び（Ｂ）狭幅対応ブロックの全体が段ボール製であることを特徴とするロール状材料用の梱包材。
【００１０】
本発明の参考発明として、以下の構成を挙げることができる。
３．巻芯に巻き付けられたロール状材料を梱包する梱包材において、
（Ａ）前記巻芯の両端部を下方から支持する左右側支持板と、この左右側支持板を前後方向から支えて起立状態を維持する前後側当板とが折畳み可能な構造で一体化してある支持構造と、
（Ｂ）前記巻芯の両端開放口に嵌めることによって、巻芯がロール状材料の重みで潰れるのを防止できるキャップであって、前記巻芯の内径に対応した外径を有する嵌入部と、これに連続して設けられ、前記嵌入部の嵌入ストッパーの役目をする鍔部とを有しているキャップ、
とを有し、前記（Ａ）支持構造及び（Ｂ）キャップの全体が段ボール製であることを特徴とするロール状材料用の梱包材における巻芯用キャップ。
【００１１】
【発明の実施の形態】
以下、添付の図面に従って、本発明を詳細に説明する。尚、この説明は、ロール状材料が感光材料である場合について行うが、前述の如く本発明は種々のロール状材料の梱包材として適用できることは勿論である。
【００１２】
図１に示すように、本発明に係る梱包材は、ロール状感光材料１０を梱包するものであって、基本的に、パレット２０とその上部に構築される支持構造３０及び外被構造５０とで構成される。支持構造３０は、後に詳述するように、その底面板の下面がパレット２０の上面に固定されている態様と、パレット２０から独立している態様とがある。
【００１３】
本発明に係る梱包材は図１に示す状態で１つのユニットを形成しており、保管・輸送などに際しては、例えば、４段積みのように、２以上のユニットを積み重ねて利用される。従って、パレット２０、支持構造３０、外被構造５０は、積み重ねられるユニットの重さに耐える強度を持つことが要求される。
【００１４】
本発明に係る梱包材の特徴は、パレット２０、支持構造３０、外被構造５０、狭幅対応ブロック６０、キャップ７０などの全ての材料として段ボールが利用されている点である。後述するように、種々の段ボール、特に強化段ボールが利用可能であるが、少なくともパレット２０は、一部又は全部に耐水性を有する段ボールが利用される。耐水性を有しない段ボールを利用する場合には、個々の構成部材（パーツ）の表面・裏面・縦横端部から水が浸入するのを防止するために、防水性表面紙などで被覆する。これらについては後に詳述する。
【００１５】
また、本発明に係る梱包材の特徴は、支持構造３０、外被構造５０、狭幅対応ブロック６０等が折畳み構造であり、梱包使用時以外はパレット２０の上部に折畳んだ状態で輸送できることである。
【００１６】
ここで、本発明に係る梱包材により梱包されるロール状感光材料１０について説明する。
図１に略図で示されているロール状感光材料１０は、巻芯１１の周囲に長尺の写真フィルムや印画紙などの感光材料１０が巻き付けられた構造で、遮光フィルムなどの遮光構造１２により防湿・遮光状態に包装されている。巻芯１１の両端部は、キャップ７０により被冠される。
感光材料１０は、元巻などと称され、その幅は、例えば、５００〜１５００ｍｍの範囲で大小種々のものがある。
【００１７】
次に、パレット２０の構成について順次説明する。
図２に示す態様のパレット２０は、底面板２１の上に、縦根太材２２と横根太材２３とを重ね、その上部に上面板２４を配置した構造である。
上記の部材は、段ボールを断裁して形成するが、ここで段ボールの構造並びに特性に関して説明する。
【００１８】
図３は、多層構造の段ボールの見本片を示すもので、Ｂ−Ｂ断面図並びにＣ−Ｃ断面図が添えられている。多層構造の段ボールは平板紙と平板紙の間に波板紙が重層された構造であるから、Ｙ１或いはＹ２の方向では波板紙によって形成される空隙が連続しており、Ｘ１或いはＸ２の方向では、波板紙によって隔てられて空隙は連続しない。従って、Ｙ１−Ｙ２断面は、防水構造としないと水が流入してしまうが、Ｘ１−Ｘ２断面では、表面が水に濡れるだけで内部への水の浸入は防止される。但し、平板紙と波板紙との接着に耐水性の糊の如き耐水接着剤が利用されていない場合には、水との接触により、接着部分が破壊される危険があるので、耐水接着剤とするのが好ましい。
【００１９】
多層構造の段ボールとして、Ｄ−Ｓｅｃ．に示すように、Ｙ１−Ｙ２断面とＸ１−Ｘ２断面が交互に現れるように重ね合わせる構造のものがある。この構造の段ボールは、縦横両方向の強度を考慮したもので、勿論、本発明に係る梱包材の材料として利用できるが、本発明に係る梱包材では、主として、Ｙ１−Ｙ２断面を有する多層構造の段ボールを、水の進入を防ぐ方向（Ｙ１−Ｙ２の方向）で利用する。
【００２０】
さて、パレット２０の底面板２１、縦根太材２２、横根太材２３、上面板２４の各部材において、Ｙ１−Ｙ２断面並びに、図２に示す部分に現れる断面について使用される。上述したように、Ｙ１−Ｙ２断面部分が端面に露出していると、波板紙の空隙から容易に水が浸入するので、この部分を防水構造とする必要がある。防水構造の例としては、１層ないし２層構造の段ボールをＹ１−Ｙ２断面の大きさに裁断して、その表面紙ないしは裏面紙として耐水性のものを用いると共に、これがＹ１−Ｙ２断面に当接するように耐水接着剤により接着する方法、普通の段ボールに代えて防水紙からなる耐水段ボールを利用する方法などがある。
【００２１】
上記の構成に加えて、段ボールのＸ１−Ｘ２断面が端部に現れる部分も耐水表面紙で被覆するなどの防水構造とすることが好ましい。
尚、図中、２５はフォークリフトのフォーク挿入孔、２６及び２７は前面被覆板及び後面被覆板であって、前記フォーク挿入孔２５に対応するフォーク挿入切欠部２８を有する。
【００２２】
次に、パレット２０の他の実施態様を説明する。
本発明のパレット２０の他の実施態様としては、上記図２に示すパレット構造から上面板２４を除いたものとし、底面板２１の前後両端部を延長し、パレット前面・後面を巻き込み上面板２９（上記上面板２４から前後面被覆板２６、２７を省略した構成）に接着させた構造とすることが挙げられる(図４参照)。この場合も表面紙としては耐水性紙を用いると共に、耐水接着剤を用いることが好ましい。
【００２３】
次に、支持構造３０について説明する。
図４に示すように、底面板３１の左右両端部を延長し、左側支持板３２及び右側支持板３３を折畳み可能に形成してあり、底面板３１の前後両端部を延長し、前側当板３４及び後側当板３５を折畳み可能に形成してある。そして、左右側支持板３２、３３には、巻芯１１の両端を掛架し、下方から支持する切欠部３２´、３３´が形成されている。
【００２４】
折畳み可能な構成は、次のとおりである。即ち、底面板３１の上側表面紙を延長して左右側支持板３２、３３の底面表面紙及び外側表面紙とし、この表面紙で、各々厚みのある底面板３１と左右側支持板３２、３３とを接続、一体化することで、その接する線で折曲げ、折畳み可能としてある。また、底面板３１の上側表面紙を延長して前後側当板３４、３５の外側表面紙とし、この表面紙で、各々厚みのある底面板３１と前後側当板３４、３５とを接続、一体化することで、その接する線で折曲げ、折畳み可能としてある。
【００２５】
左右側支持板３２、３３について起立した状態を維持するため、前後側当板３４、３５との間に係止構造３６が採用されている。
係止構造３６の一例としては、下記が挙げられる。即ち、図５に示す如く、左右側支持板３２、３３の前後の根元には、アール部分を介して切欠部３７が設けられており、また、上半部に切欠部３８が形成されると共に下半分に係入部３９が設けられた係合片４０が固着されている。
【００２６】
一方、左右側支持板３２、３３には、上記切欠部３７の垂直壁に当接する当接部４１と、上記切欠部３８の垂直壁に当接する当接部４２を形成することができるように、前記係入部３９を受け入れる係入孔４３が設けられている。この実施例では、左右側支持板３２、３３を起立した状態において、前後側当板３４、３５について起立する操作を行えば、係入孔４３に係入部３９が挿入係止されると共に、当接部４１、４２の各々が切欠部３７、３８の垂直壁に当接し、確固に固定される。
【００２７】
支持構造３０の他の実施態様としては、例えば、図６に示す如く、係合片４０を、左右側支持板３２、３３の根元自体に形成する構成である。図６中、図５と同一の符号を付したものは、同一部材名を示す。
【００２８】
次に、外被構造５０を説明する。
図７に本発明に係る梱包材の最終包装形態の一例が示されており、底面のみ開放状態の外装箱体５１によって、パレット２０上に支持構造３０全体が被覆される。
【００２９】
本発明に係る梱包体は、例えば、４段積みされるので、次のような、多段積み補強構造が採用されている。
即ち、図８に示すように、左右側支持板３２、３３の上方に載置され外装箱体５１の天板まで延びる左右側支持板５２、５３と、この左右側支持板５２、５３を相対向するように連設し、前後側当板３４、３５の外側を被覆してパレット２０上に載置される前後側被覆板５４、５５から成る多段積み補強構造体５６が使用してある。
【００３０】
かかる補強構造体５６は、前後側被覆板５４、５５を左右側支持板５２、５３の外側（Ａ部分参照）において接続して折畳み自由である。
また、上記の多段積み補強構造体５６は、図１３に示すように、支持構造３０を上方から被冠する構成である。別の実施態様としては、例えば、前後側被覆板５４の中間（Ｂ部分参照）で左右に切り別け、左右ユニット形態としてもよい。この場合も、外装箱体５１（底面のみ開放の折畳み自由な箱形状）によって、全体を被覆されるので、強度上の問題はない。
【００３１】
本発明の巻芯１１としては、ロール状感光材料を巻き付ける際の張力に耐えられる公知のものが特別の制限なく用いられる。
この巻芯１１に巻き付けられたロール状感光材料１０の遮光構造１２の例としての遮光フィルムは、単層のものでも、積層のものでもよいし、また、遮光紙と遮光フィルムとの組み合わせでもよい。
【００３２】
本発明において巻芯１１は、例えば、外径１００〜３００ｍｍ、好ましくは１５０〜２００ｍｍ、さらに好ましくは１６０〜１８０ｍｍであり、長さは１０００〜１６００ｍｍ、好ましくは１１００〜１４００ｍｍの紙製である。遮光構造１２の例は次の通りである。即ち、遮光紙としては、例えば写真性に悪影響を与えない８５．６ｇ／ｍ２のものを二重に巻き付けたものを用いることができるし、筒状の遮光フィルムとしては、例えば直径６７０ｍｍ・長さ２５００ｍｍ・厚さ０．０９ｍｍ、カーボン含有量４０％の黒マスターバッチを５％含む高圧法ポリエチレン製のものを二枚重ねて用いることができるし、筒状の遮光フィルムの両端は、長さ３００ｍｍのインシュロックを用い縛る構造等を採用できる。
【００３３】
本発明の梱包体によって、搬送される感光材料は、その幅に大小があり、例えば、最大幅の感光材料に合わせて支持構造３０を製作し、これより狭幅の感光材料に対しては、段ボール製狭幅対応ブロック６０にて対応することが好ましい。
【００３４】
この狭幅対応ブロック６０の一例が、図１０に示してあり、左右側支持板３２、３３と略同形同大の支持板６１の前後両端部を延長して前後側立板６２、６３を折畳み可能に形成してある。尚、図中、６４は切欠部３２´、３３´に対応する切欠部である。本発明においては、この狭幅対応ブロック６０の２つを１組として使用することによって、狭幅感光材料が中心部分で支持されるようにする。即ち、図１２に示す如く相対向するように狭幅対応ブロック６０を左右側支持板３２、３３の間の底面板３１上に載置し、支持板６１の切欠部６４間に巻芯１１を掛架したとき感光材料（元巻）１０の前後面が支持板６１に当接して支持されるようにする。前後側立板６２、６３の長さが大小異なる狭幅対応ブロック６０の複数種を用意しておくことによって、種々の幅の感光材料（元巻）１０に対応することが可能となる。又は、前後側立板６２、６３を前後側当板 ３４、３５に係止可能な構成とすれば、一組の狭幅対応ブロック６０によっても対応可能となる。
【００３５】
そして、かかる狭幅対応ブロック６０の実施例では、支持板６１に対し、前後側立板を直線状になるように回動することによって平板状に折畳み可能な構成としてある。
【００３６】
本発明において、巻芯１１の両端開放口にキヤップ７０を嵌めることによって、巻芯１１が感光材料（元巻）１０の重みで潰れるのを防止できる。段ボール製キャップ７０の一例が図１１に示されている。即ち、巻芯１１の内径に対応した外径を有する嵌入部７１と、これに連続して設けられ、嵌入部７１の嵌入ストッパーの役目をする鍔部７２とを有している。
本発明は、上記に限らず、ロール状材料に対して適用可能である。
【００３７】
【発明の効果】
本発明によれば、折畳み可能な構造であるため、梱包使用時以外は折畳み小型コンパクト化でき、搬送・保管が容易であり、且つ複数回の反覆使用が可能であり、また従来のように、木箱やガイド板などの木製部材を使用しないため、薫蒸処理が不要でかつ環境に優しい包装形態となった。
【図面の簡単な説明】
【図１】本発明に係るロール状材料包装体の一実施例の斜視図
【図２】本発明に係るパレットの一実施例を示す分解斜視図
【図３】本発明に用いられる段ボールの構造例を示す説明図
【図４】本発明に係る支持構造の一実施例を示す斜視図
【図５】本発明に係る係止構造の一実施例を示す斜視図
【図６】本発明に係る係止構造の他の実施例を示す斜視図
【図７】本発明の最終の包装状態の一例を一部透視する斜視図（多段積み補強構造体は省略）
【図８】本発明に係る多段積み補強構造体の一実施例を示す斜視図
【図９】本発明の最終の包装形態の他例を一部透視する斜視図
【図１０】本発明に係る狭幅対応ブロックの一実施例を示す斜視図
【図１１】本発明に係るキャップの一実施例を示す斜視図
【図１２】狭幅対応ブロックを用いた場合の本発明の最終の包装形態の他例を一部透視する斜視図（多段積み補強構造体は省略）
【図１３】支持構造に多段積み補強構造体を載置した状態の斜視図
【符号の説明】
１０  ロール状材料、例えば感光材料（元巻）
１１  巻芯
１２  遮光構造
２０  パレット
２１  底面板
２２  縦根太材
２３  横根太材
２４  上面板
２５  フォーク挿入孔
２６  前面被覆板
２７  後面被覆板
２８  フォーク挿入切欠部
２９  上面板
３０  支持構造
３１  底面板
３２  左側支持板
３３  右側支持板
３２´切欠部
３３´切欠部
３４  前側当板
３５  後側当板
３６  係止構造
３７  切欠部
３８  切欠部
３９  係入部
４０  係合片
４１  当接部
４２  当接部
４３  係入孔
５０  外被構造
５１  外装箱体
５２  左側支持板
５３  右側支持板
５４  前側被覆板
５５  後側被覆板
５６  多段積み補強構造体
６０  狭幅対応ブロック
６１  支持板
６２  前側立板
６３  後側立板
６４  切欠部
７０  キャップ
７１  嵌入部
７２  鍔部
【図１】
0004519298.tif 000002
【図２】
0004519298.tif 000003
【図３】
0004519298.tif 000004
【図４】
0004519298.tif 000005
【図５】
0004519298.tif 000006
【図６】
0004519298.tif 000007
【図７】
0004519298.tif 000008
【図８】
0004519298.tif 000009
【図９】
0004519298.tif 000010
【図１０】
0004519298.tif 000011
【図１１】
0004519298.tif 000012
【図１２】
0004519298.tif 000013
【図１３】
0004519298.tif 000014